【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
以下の段階を含む、安全コンピュータ・ネットワーク・アドレスにアクセスする方法：
安全ドメイン名を受信する段階；
安全ドメイン名サービスからの安全ドメイン名に対応する安全コンピュータ・ネットワーク・アドレスを要求する問合せメッセージを、安全ドメイン名サービスに送信する段階；
安全ドメイン名に対応する安全コンピュータ・ネットワーク・アドレスを含む応答メッセージを、安全ドメイン名サービスから受信する段階；および
アクセス要求メッセージを、仮想専用ネットワーク通信リンクを使用して安全コンピュータ・ネットワーク・アドレスに送信する段階。
【請求項２】
安全ドメイン名を受信する段階が、
所定の非安全ドメイン名に対応する安全コンピュータ・ネットワーク・アドレスとの仮想専用ネットワーク通信リンクを確立するためのコマンドを受信する段階；および
非安全ドメイン名に対応する安全ドメイン名を自動的に生成する段階
を含む、請求項1記載の方法。
【請求項３】
仮想専用ネットワーク通信リンクを確立するためのコマンドを受信する段階が、コンピュータ・ディスプレイ上に表示された所定のアイコンを選択する段階を含む、請求項2記載の方法。
【請求項４】
応答メッセージが、仮想専用ネットワークに関する準備（provisioning） 情報を含む、請求項1記載の方法。
【請求項５】
仮想専用ネットワークが、擬似乱数シーケンスに従って変化する1つまたは複数のデータ値を、安全コンピュータ・ネットワーク・アドレスに送信される各データ・パケットに挿入することに基づく、請求項4記載の方法。
【請求項６】
仮想専用ネットワークが、仮想専用ネットワークに関連するサービスの所定のレベルを表す少なくとも1つのデータ値を、少なくとも1つのデータ・パケットに挿入することに基づく、請求項4記載の方法。
【請求項７】
仮想専用ネットワークが、第1のコンピュータと第2のコンピュータとの間で送信されるパケット内のコンピュータ・ネットワーク・アドレスを、擬似乱数的に変更するのに用いられる、コンピュータ・ネットワーク・アドレス・ホッピング方式に基づく、請求項4記載の方法。
【請求項８】
仮想専用ネットワークが、安全コンピュータ・ネットワーク・アドレスに送信される各データ・パケット内の値を、妥当な値の移動ウィンドウと比較することに基づく、請求項4記載の方法。
【請求項９】
仮想専用ネットワークが、安全コンピュータ・ネットワーク・アドレスへの各データ・パケットのヘッダ内のディスクリミネータ・フィールドを、妥当なディスクリミネータ・フィールドのテーブルと比較することに基づく、請求項4記載の方法。
【請求項１０】
仮想専用ネットワークがインターネットを含む、請求項1記載の方法。
【請求項１１】
安全ドメイン名が、.scom、.snet、.sorg、.sedu、.smil、または.sgovのうちの1つを含むトップレベル・ドメイン名を有する、請求項1記載の方法。
【請求項１２】
アクセス要求メッセージが、安全コンピュータ・ネットワーク・アドレスに保存された情報の要求を含む、請求項1記載の方法。
【請求項１３】
安全ドメイン名を受信する段階が、ユーザのクライアント・コンピュータで安全ドメイン名を受信する段階を含み、
問合せメッセージを送信する段階が、クライアント・コンピュータで問合せメッセージを送信する段階を含み；
応答メッセージを受信する段階が、クライアント・コンピュータで応答メッセージを受信する段階を含み；
アクセス要求メッセージを送信する段階が、クライアント・コンピュータでアクセス要求メッセージを送信する段階を含む、
請求項1記載の方法。
【請求項１４】
ソフトウェア・モジュールによって実行される、請求項1記載の方法。
【請求項１５】
クライアント・コンピュータによって実行される、請求項1記載の方法。
【請求項１６】
コマンドを受信する段階が、ユーザのクライアント・コンピュータでコマンドを受信する段階を含む、請求項2記載の方法。
【請求項１７】
記憶領域と、安全コンピュータ・ネットワーク・アドレスにアクセスするための方法に関するコンピュータ可読命令とを含み、該方法が：
安全ドメイン名を受信する段階；
ドメイン名サービスからの安全ドメイン名に対応する安全コンピュータ・ネットワーク・アドレスを要求する問合せメッセージを、安全ドメイン名サービスに送信する段階；
安全ドメイン名に対応する安全コンピュータ・ネットワーク・アドレスを含む応答メッセージをドメイン名サービスから受信する段階；および
アクセス要求メッセージを、仮想専用ネットワーク通信リンクを使用して安全コンピュータ・ネットワーク・アドレスに送信する段階
を含む、コンピュータ可読記憶媒体。
【請求項１８】
安全ドメイン名を受信する段階が、
所定の非安全ドメイン名に対応する、安全コンピュータ・ネットワーク・アドレスとの仮想専用ネットワーク通信リンクを確立するためのコマンドを受信する段階、および
非安全ドメイン名に対応する安全ドメイン名を自動的に生成する段階
を含む、請求項17記載のコンピュータ可読記憶媒体。
【請求項１９】
仮想専用ネットワーク通信リンクを確立するためのコマンドを受信する段階が、コンピュータ・ディスプレイ上に表示された所定のアイコンを選択する段階を含む、請求項18記載のコンピュータ可読記憶媒体。
【請求項２０】
応答メッセージが仮想専用ネットワークに関する準備情報を含む、請求項17記載のコンピュータ可読記憶媒体。
【請求項２１】
仮想専用ネットワークが、擬似乱数シーケンスに従って変化する1つまたは複数のデータ値を、安全コンピュータ・ネットワーク・アドレスに送信される各データ・パケットに挿入することに基づく、請求項20記載のコンピュータ可読記憶媒体。
【請求項２２】
仮想専用ネットワークが、仮想専用ネットワークに関連するサービスの所定のレベルを表す少なくとも1つのデータ値を、少なくとも1つのデータ・パケットに挿入することに基づく、請求項20記載のコンピュータ可読記憶媒体。
【請求項２３】
仮想専用ネットワークが、第1のコンピュータと第2のコンピュータとの間で送信されるパケット内のコンピュータ・ネットワーク・アドレスを、擬似乱数的に変更するのに用いられる、コンピュータ・ネットワーク・アドレス・ホッピング方式に基づく、請求項20記載のコンピュータ可読記憶媒体。
【請求項２４】
仮想専用ネットワークが、安全コンピュータ・ネットワーク・アドレスに送信される各データ・パケット内の値を、妥当な値の移動ウィンドウと比較することに基づく、請求項20記載のコンピュータ可読記憶媒体。
【請求項２５】
仮想専用ネットワークが、安全コンピュータ・ネットワーク・アドレスへの、各データ・パケットのヘッダ内のディスクリミネータ・フィールドを、妥当なディスクリミネータ・フィールドのテーブルと比較することに基づく、請求項20記載のコンピュータ可読記憶媒体。
【請求項２６】
仮想専用ネットワークがインターネットを含む、請求項17記載のコンピュータ可読記憶媒体。
【請求項２７】
安全ドメイン名が、.scom、.snet、.sorg、.sedu、.smil、または.sgovのうちの1つを含む、トップレベル・ドメイン名を有する、請求項17記載のコンピュータ可読記憶媒体。
【請求項２８】
アクセス要求メッセージが、安全コンピュータ・ネットワーク・アドレスに保存された情報の要求を含む、請求項17記載のコンピュータ可読記憶媒体。
【請求項２９】
安全ドメイン名を受信する段階が、ユーザのクライアント・コンピュータで安全ドメイン名を受信する段階を含み、
問合せメッセージを送信する段階が、クライアント・コンピュータで問合せメッセージを送信する段階を含み；
応答メッセージを受信する段階が、クライアント・コンピュータで応答メッセージを受信する段階を含み；
アクセス要求メッセージを送信する段階が、クライアント・コンピュータでアクセス要求メッセージを送信する段階を含む、
請求項17記載のコンピュータ可読記憶媒体。
【請求項３０】
前記方法がソフトウェア・モジュールによって実行される、請求項17記載のコンピュータ可読記憶媒体。
【請求項３１】
前記方法がクライアント・コンピュータによって実行される、請求項17記載のコンピュータ可読記憶媒体。
【請求項３２】
コマンドを受信する段階が、ユーザのクライアント・コンピュータでコマンドを受信する段階を含む、請求項18記載のコンピュータ可読記憶媒体。
【請求項３３】
プロセッサと、コンピュータ実行可能命令を記憶しているメモリとを含むデータ処理装置であって、該命令が該プロセッサにより実行されると、安全コンピュータ・ネットワーク・アドレスにアクセスするための方法を該装置が実行し、該方法が以下の段階を含む、データ処理装置：
安全ドメイン名を受信する段階；
安全ドメイン名サービスからの安全ドメイン名に対応する安全コンピュータ・ネットワーク・アドレスを要求する問合せメッセージを、安全ドメイン名サービスに送信する段階；
安全ドメイン名に対応する安全コンピュータ・ネットワーク・アドレスを含む応答メッセージを、安全ドメイン名サービスから受信する段階；および
アクセス要求メッセージを、仮想専用ネットワーク通信リンクを使用して安全コンピュータ・ネットワーク・アドレスに送信する段階。
【請求項３４】
安全ドメイン名を受信する段階が以下の段階を含む、請求項33記載の装置：
所定の非安全ドメイン名に対応する安全コンピュータ・ネットワーク・アドレスとの仮想専用ネットワーク通信リンクを確立するためのコマンドを受信する段階；および
非安全ドメイン名に対応する安全ドメイン名を自動的に生成する段階。
【請求項３５】
応答メッセージが、仮想専用ネットワークに関する準備情報を含む、請求項33記載の装置。
【請求項３６】
仮想専用ネットワークが、擬似乱数シーケンスに従って変化する1つまたは複数のデータ値を、安全コンピュータ・ネットワーク・アドレスに送信される各データ・パケットに挿入することに基づく、請求項35記載の装置。
【請求項３７】
仮想専用ネットワークが、仮想専用ネットワークに関連するサービスの所定のレベルを表す少なくとも1つのデータ値を、少なくとも1つのデータ・パケットに挿入することに基づく、請求項35記載の装置。
【請求項３８】
仮想専用ネットワークが、第1のコンピュータと第2のコンピュータとの間で送信されるパケット内のコンピュータ・ネットワーク・アドレスを擬似乱数的に変更するのに用いられるコンピュータ・ネットワーク・アドレス・ホッピング方式に基づく、請求項35記載の装置。
【請求項３９】
仮想専用ネットワークが、安全コンピュータ・ネットワーク・アドレスに送信される各データ・パケット内の値を、妥当な値の移動ウィンドウと比較することに基づく、請求項35記載の装置。
【請求項４０】
仮想専用ネットワークが、安全コンピュータ・ネットワーク・アドレスへの各データ・パケットのヘッダ内のディスクリミネータ・フィールドを、妥当なディスクリミネータ・フィールドのテーブルと比較することに基づく、請求項35記載の装置。
【請求項４１】
安全ドメイン名が、.scom、.snet、.sorg、.sedu、.smil、または.sgovのうちの1つを含むトップレベル・ドメイン名を有する、請求項33記載の装置。